(57)【要約】【課題】左右方向に傾いてドレンパンが設置された場合であっても、ドレンパンに溜まった結露水の波立ちを好適に抑制することができる空気調和装置を提供する。【解決手段】空気調和装置は、熱交換器１３、熱交換器１３を通過する空気流を生成する送風ファン１２、熱交換器１３において生じた結露水を当該熱交換器１３の下方で受け止めるドレンパン３１、空気流方向に対して水平に直交する方向におけるドレンパン３１の一端部側に設けられ、かつ当該ドレンパン３１内の結露水を排出する排水手段２９、及び前記直交方向におけるドレンパン３１の少なくとも他端部側に設けられ、空気流による結露水の波立ちを抑制する消波部材４７Ａ〜４７Ｃを備える。消波部材４７Ａ〜４７Ｃは、前記直交方向に延伸した状態で空気流方向に所定間隔をあけて複数列設けられている。【選択図】      図３
2010255983.tif 000002
【特許請求の範囲】
【請求項１】
熱交換器（１３）と、
前記熱交換器（１３）を通過する空気流を生成する送風機（１２）と、
前記熱交換器（１３）において生じた結露水を当該熱交換器の下方で受け止めるドレンパン（３１）と、
空気流方向（Ｘ）に対して水平に直交する方向における前記ドレンパン（３１）の一端部側に設けられ、かつ当該ドレンパン（３１）内の結露水を排出する排水手段（２９）と、
前記直交方向における前記ドレンパン（３１）の少なくとも他端部側に設けられ、前記空気流による結露水の波立ちを抑制する消波部材（４７Ａ，４７Ｂ，４７Ｃ）と、を備え、
前記消波部材（４７Ａ，４７Ｂ，４７Ｃ）が、前記直交方向に延伸した状態で空気流方向（Ｘ）に所定間隔をあけて複数列設けられていることを特徴とする空気調和装置。
【請求項２】
前記複数列の消波部材（４７Ａ，４７Ｂ，４７Ｃ）は、空気流方向（Ｘ）の上流側に配置されたものほど前記直交方向に沿った長さが短く形成されている請求項１に記載の空気調和装置。
【請求項３】
前記複数列の消波部材（４７Ａ，４７Ｂ，４７Ｃ）は、前記空気流方向（Ｘ）の下流側のものほど上端位置が高くなるように設けられている請求項１又は２に記載の空気調和装置。
【請求項４】
前記複数列の消波部材（４７Ａ，４７Ｂ，４７Ｃ）は、その上端位置が互いに略同一の高さとなるように設けられている請求項１又は２に記載の空気調和装置。
【請求項５】
前記消波部材（４７Ａ，４７Ｂ，４７Ｃ）における空気流方向（Ｘ）の上流側の側面が、上部側ほど空気流方向（Ｘ）の上流側へ傾斜している請求項１〜４のいずれかに記載の空気調和装置。
【請求項６】
前記ドレンパン（３１）が、空気流方向（Ｘ）の上流側が低位となるように傾斜する第１の底面（４１）と、この第１の底面（４１）の空気流方向（Ｘ）の上流側に配置され、当該第１の底面（４１）よりも深く形成されているとともに前記直交方向の一端部側ほど低位となるように傾斜する第２の底面（４２）とを含み、
前記複数列の消波部材（４７Ａ，４７Ｂ，４７Ｃ）が、前記第１の底面（４１）に設けられているとともに、その一部又は全部が前記直交方向の一端部側ほど空気流方向（Ｘ）の上流側に位置するように前記直交方向に対して傾斜して配置されている請求項１〜５のいずれかに記載の空気調和装置。
【請求項７】
前記消波部材（４７Ａ，４７Ｂ，４７Ｃ）が、前記ドレンパン（３１）と一体成形されている請求項１〜６のいずれかに記載の空気調和装置。
【発明の詳細な説明】
【技術分野】
【０００１】
本発明は空気調和装置に関し、特にドレンパンに溜まった結露水の波立ちを抑制することができる空気調和装置に関する。
【背景技術】
【０００２】
下記特許文献１には、天井埋込ダクト型の室内機を有する空気調和装置が開示されている。この空気調和装置の室内機は、ケーシングと、ケーシング内の前部に設けられた熱交換器と、ケーシング内の後部に設けられたファンとを備えており、ファンによって生成された空気流が熱交換器に吹きつけられるとともに、熱交換器を通過した空気流が、ケーシングの前面に形成された吹き出し口から吹き出されるように構成されている。また、冷房運転時、熱交換器では結露水が発生するため、熱交換器から滴下した結露水を受け止めるドレンパンが当該熱交換器の下方に設けられている。また、ドレンパンには、当該ドレンパン内に溜まった結露水を排水するドレンポンプが設けられている。
【０００３】
このような構成を有する空気調和装置においては、ファンによって生成された空気流がドレンパンの上方を通過するため、ドレンパン内に溜まった結露水が空気流によって波立ち、外部に飛散する可能性がある。そのため、特許文献１の空気調和装置では、ドレンパン内に結露水の波立ちを抑制する消波部材が設けられている。この消波部材は、波の運動エネルギーを吸収することによって水面の波立ちを抑制するものであり、ドレンパンの前縁部（空気流の下流側縁部）の内側に沿って、当該前縁部のほぼ全体に亘り設けられている。
【先行技術文献】
【特許文献】
【０００４】
【特許文献１】特開２００８−１２８４８８号公報（図５等）
【発明の概要】
【発明が解決しようとする課題】
【０００５】
特許文献１の技術では、ドレンパンの前縁部に沿って１つの消波部材が設けられるのみであるので、当該消波部材を越えるような大きな波が発生すると、ドレンパンの前縁部を越えて結露水が飛散する可能性が高くなる。
また、室内機は、水平に据え付けられることを前提として設計されるが、据え付け環境等によっては正確に水平に据え付けられない場合もあり、僅かに左右方向（空気流に直交する方向）に関して傾いてしまうことがある。このような場合、ドレンパンも同様に傾いて低位側に結露水が偏って溜まるので、空気流による波立ちも大きくなる傾向にある。特許文献１に記載の消波部材は、このような左右方向の傾きに関して特に考慮されておらず、左右方向に亘って均一な消波機能しか備えていない。
【０００６】
本発明は、このような実情に鑑みてなされたものであり、空気流に対して水平に直交する方向に関してドレンパンが上下に傾斜して設置された場合でも、ドレンパン内の結露水の波立ちを好適に抑制することができる空気調和装置を提供する。
【課題を解決するための手段】
【０００７】
（１）  本発明の空気調和装置は、熱交換器と、前記熱交換器を通過する空気流を生成する送風機と、前記熱交換器において生じた結露水を当該熱交換器の下方で受け止めるドレンパンと、空気流方向に対して水平に直交する方向における前記ドレンパンの一端部側に設けられ、かつ当該ドレンパン内の結露水を排出する排水手段と、前記直交方向における前記ドレンパンの少なくとも他端部側に設けられ、前記空気流による結露水の波立ちを抑制する消波部材と、を備え、
前記消波部材が、前記直交方向に延伸した状態で空気流方向に所定間隔をあけて複数列設けられていることを特徴とする。
【０００８】
空気流に対し水平に直交する方向におけるドレンパンの一端部側（排水手段側）が高く、他端部側が低くなるように空気調和装置が設置された場合、当該他端部側に結露水が溜まり、空気流によって高い波が生じやすくなるが、本発明の空気調和装置によれば、少なくとも当該他端部側に複数列の消波部材が設けられているので、波立ちを効果的に抑制することができる。つまり、空気流方向の上流側の列の消波部材を越えるような波が生じたとしても、下流側の列の消波部材によって適切に波立ちを抑制することができる。
【０００９】
（２）  前記複数列の消波部材は、空気流方向の上流側に配置されたものほど前記直交方向に沿った長さが短く形成されていてもよい。このように構成することによって、結露水の溜まる量が多い部分ほど消波部材の列数を多くすることができ、波立ちをより効果的に抑制することができる。
【００１０】
（３）  前記複数列の消波部材は、前記空気流方向の下流側のものほど上端位置が高くなるように設けられていてもよい。このような構成によって、比較的小さい波は空気流方向上流側の列の消波部材で抑制することができ、たとえ空気流方向の上流側の列の消波部材を越えるような波が生じても下流側の列の消波部材によって波立ちを効果的に抑制することができる。また、上流側の消波部材ほど上端位置が低くなるので、空気流に対する抵抗になり難く、圧力損失を低減して十分な吹き出し風量を確保することができる。
【００１１】
（４）  前記複数列の消波部材は、その上端位置が互いに略同一の高さとなるように設けられていてもよい。このような構成によって、いずれの列の消波部材によっても同等に波立ちを防止することができる。
【００１２】
（５）  前記消波部材における空気流方向の上流側の側面は、上部側ほど空気流方向の上流側へ傾斜していてもよい。このような構成によって、空気流により消波部材に衝突する波を上流側にはね返すことができ、当該波が消波部材を越えるのを効果的に防止することができる。
【００１３】
（６）  前記ドレンパンは、空気流方向の上流側が低位となるように傾斜する第１の底面と、この第１の底面の空気流方向の上流側に配置され、当該第１の底面よりも深く形成されているとともに前記直交方向の一端部側（排水手段側）ほど低位となるように傾斜する第２の底面とを含み、前記複数列の消波部材が、前記第１の底面に設けられているとともに、その一部又は全部が前記直交方向の一端部側ほど空気流方向の上流側に位置するように前記直交方向に対して傾斜して配置されていることが好ましい。
【００１４】
この構成によれば、第１の底面に溜まった結露水を、当該第１の底面の傾斜と消波部材の傾斜とによって、第２の底面側でかつ排水手段側に導くことができ、複数列の消波部材の間に結露水が滞留するのを防止することができる。
【００１５】
（７）  前記消波部材は、前記ドレンパンと一体成形されていてもよい。この場合、ドレンパンに消波部材を取り付ける工程が不要となり、部品点数及び製造コストの低減を図ることができる。
【発明の効果】
【００１６】
本発明の空気調和装置は、空気流に対して水平に直交する方向に関してドレンパンが上下に傾斜して据え付けられた場合でも、ドレンパン内の結露水の波立ちを好適に抑制することができる。
【図面の簡単な説明】
【００１７】
【図１】本発明の実施の形態に係る空気調和装置の室内機を示す概略横断面図である。
【図２】図１に示される室内機の概略水平断面図である。
【図３】ドレンパンを示す平面図である。
【図４】図３のIV−IV線断面図である。
【図５】本発明の第２の実施の形態に係る空気調和装置の消波部材を示す概略横断面図である。
【図６】本発明の第３の実施の形態に係る空気調和装置の消波部材を示す平面図である。
【発明を実施するための形態】
【００１８】
以下、本発明の実施の形態について図面を参照して説明する。
図１は、本発明の第１の実施の形態に係る空気調和機の室内機１０の概略横断面図であり、図２は、図１に示される室内機１０の概略水平断面図である。この室内機１０は、天井埋込ダクト型であり、本体ケーシング１１、複数の送風ファン（送風機）１２、熱交換器１３、及び送風ファン駆動用のモータ（駆動部）１４等を備えている。
【００１９】
図１に示されるように、本体ケーシング１１は、天井裏の上階床の下面等に吊り下げ可能な天板部１６と、この天板部１６の下方に対向して配置された底板部１７と、天板部１６及び底板部１７の前後両側に設けられた前板部１８及び後板部１９と、天板部１６、底板部１７、前板部１８、及び後板部１９の左右両側に設けられた側板部２０（図２参照）とを備え、左右方向（図１の紙面に垂直な方向）に長く、上下方向に薄い直方体の箱型に形成されている。
【００２０】
本体ケーシング１１の後板部１９には、本体ケーシング１１内に空気を吸い込むための吸い込み口２２が形成されている。また、前板部１８には、空調された空気を前方に吹き出す吹き出し口２３が形成されている。本体ケーシング１１の内部には、仕切り板２４が立設されており、この仕切り板２４によって、本体ケーシング１１の内部が前後方向に２つの空間１１Ａ，１１Ｂに区画されている。
【００２１】
図２に示されるように、複数の送風ファン１２は、本体ケーシング１１内の後部側の空間１１Ｂに左右方向に並べて配置され、仕切り板２４等によって支持されている。各送風ファン１２は、例えばシロッコファン等の多翼型ファンであり、モータ１４によって駆動される。そして、送風ファン１２は、本体ケーシング１１の後板部１９に形成された吸い込み口２２から本体ケーシング１１外の空気を吸い込み、仕切り板２４の前方の空間１１Ａへ流れる空気流を生成するように構成されている。
【００２２】
熱交換器１３は、本体ケーシング１１内の前部側の空間１１Ａに配置されており、送風ファン１２によって生成された前方へ向かう空気流を通過させるように配置されている。この熱交換器１３は、左右方向に所定間隔で並べて配置された多数のフィン２７と、このフィン２７を貫通するように左右方向に延びる冷媒配管２８とを含む。この熱交換器１３は、本体ケーシング１１の内部空間における左右方向の大部分の範囲に亘る長さを有しており、左右方向一方側（図２の例では左側）に偏って配置されている。熱交換器１３の左右方向他方側（図２の例では右側）には、室外機（図示略）との間で冷媒を循環させるための配管（図示略）や、後述するドレンパン３１に貯留された結露水を室内機１０の外部へ排出する排水手段２９が配置されている。複数の送風ファン１２は、熱交換器１３の左右幅の範囲全体に空気流を送るように左右方向に分散して配置されている。空気調和装置は、この熱交換器１３を蒸発器として用いることで冷房運転が可能であり、凝縮器として用いることで暖房運転が可能である。
【００２３】
図１に示されるように、熱交換器１３は、上部側が前方（吹き出し口２３側；空気流の下流側）に位置し、かつ下部側が後方（送風ファン１２側；空気流の上流側）に位置するように傾斜して配置されている。そして、この熱交換器１３の下方には、熱交換器１３で発生した結露水を受け止めるドレンパン３１が配置されている。
【００２４】
図３は、ドレンパン３１の平面図であり、図４は、図３のIV−IV線断面図である。ドレンパン３１は、平面視で左右方向に長い長方形状に形成されている。ドレンパン３１の外周部には外周壁３４が設けられ、この外周壁３４の内側には、熱交換器１３から滴下した結露水を受け止めるための水受け部３５と、この水受け部３５よりも深く形成されるとともに、水受け部３５によって受け止められた結露水を室内機１０の外部へ排出するための排水部３６とが設けられている。
【００２５】
排水部３６は、ドレンパン３１の左右方向一側の端部（図３の右端部）に設けられており、この排水部３６には、排水手段２９を構成するドレンポンプ３９が設けられている。このドレンポンプ３９は下端部に吸引口を有し、冷房運転時には常時作動している。そして、ドレンポンプ３９は、排水部３６内の結露水の水位が吸引口まで上昇すると、当該結露水を吸い上げて室内機１０の外部へ排出するように構成されている。
【００２６】
また、排水部３６には、フロートスイッチ（水位検出器）３８が設けられている。このフロートスイッチ３８は、主として冷房運転時のドレンポンプ３９の異常、例えば、吸引口が詰まったり、故障したりした場合に機能する。具体的には、ドレンポンプ３９に異常が生じて排水が適切になされず、ドレンポンプ３９の吸引口以上に水位が上昇すると、結露水がドレンパン３１から溢れたり、後述するように送風ファン１２で生成された空気流で波立ちが大きくなり、結露水が飛散したりする可能性がある。そのため、フロートスイッチ３８は、排水部３６内の結露水の水位がドレンポンプ３９の吸引口以上に上昇したこと（異常水位となったこと）を検出する。そして、空気調和装置は、フロートスイッチ３８による異常水位の検出に基づいて運転を停止することによって、それ以上ドレンパン３１に結露水を溜めないように構成されている。
【００２７】
水受け部３５は、外周壁３４の内側であって、排水部３６を除く範囲に設けられており、熱交換器１３から滴下する結露水を受け止める。この水受け部３５の空気流方向Ｘの下流側の底面（第１の底面）４１は、空気流方向Ｘの上流側が低位となるように傾斜する傾斜面とされており、受け止めた結露水を空気流方向Ｘの上流側へ向けて流すように構成されている。また、水受け部３５の空気流方向Ｘの上流側の底面（第２の底面）４２は、第１の底面４１よりも深く形成されるとともに、左右方向の一側部側（排水部３６側）が低位となるように傾斜する傾斜面とされており、受け止めた結露水を排水部３６へ流すように構成されている。水受け部３５の第１の底面４１と排水部３６との間には隔壁４３が設けられ、第２の底面４２と排水部３６とは相互に連通している。
【００２８】
したがって、第１の底面４１で受け止められた結露水は第２の底面４２へ向けて流れ、第２の底面４２で受け止められた結露水、及び第１の底面４１から流れ込んだ結露水は排水部３６へ流れ、この排水部３６に流れ込んだ結露水が所定の水位となったときにドレンポンプ３９によって排出される。なお、図３において、点線で示される矢印ａ，ｂは水受け部３５の第１及び第２の底面４１，４２の傾斜を示しており、矢印方向ほど低位となることを表している。
【００２９】
以上に説明した室内機１０は、天井裏等に水平に据え付けられることが要求されるが、僅かに左右方向に関して傾いて設置される場合がある。排水部３６側が低位となるようにドレンパン３１が傾くと排水部３６側に偏って結露水が溜まりやすくなるが、この場合、ドレンパン３１が水平に設置された場合よりも少ない貯水量で結露水がドレンポンプ３９によって排水され、又はドレンポンプ３９の異常時にはフロートスイッチ３８によって異常水位が検出されて空気調和装置の運転が停止されるので、特に問題とはならない。しかし、排水部３６側が高位となるようにドレンパン３１が傾くと、水受け部３５側、特に図３の左端部に偏って結露水が溜まりやすくなり、しかも、水平に設置された場合よりもドレンポンプ３９による排水が開始するまで、又はフロートスイッチ３８によって異常水位が検出されるまでの結露水の貯水量が多くなるので、水受け部３５側の水位がより高くなる。そのため、送風ファン１２により生成された空気流によって波立ちが生じやすくなり、結露水がドレンパン３１を越えて飛散する可能性が高くなる。
【００３０】
そこで、本実施の形態では、ドレンパン３１の水受け部３５側が低位となるように傾いた場合であっても、結露水の波立ちを抑制することができる消波部材４７Ａ〜４７Ｃがドレンパン３１に設けられている。本実施の形態の消波部材４７Ａ〜４７Ｃは、水受け部３５の第１の底面４１に対して空気流方向Ｘに関して３列に設けられている。各消波部材４７Ａ〜４７Ｃは、発泡合成樹脂等によって形成された断面矩形状の長尺部材であり、その長手方向を左右方向に向けた状態で、第１の底面４１上に接着剤等によって取り付けられている。各消波部材４７Ａ〜４７Ｃは、空気流方向Ｘに沿って所定の間隔をあけて配置され、空気流方向Ｘの最も下流側の消波部材４７Ｃと、ドレンパン３１の外周壁３４との間にも間隔があけられている。また、各消波部材４７Ａ〜４７Ｃの左右方向端部と外周壁３４及び隔壁４３との間にも間隔があけられている。
【００３１】
なお、消波部材４７Ａ〜４７Ｃは、ドレンパン３１と一体成型されていてもよく、この場合、ドレンパン３１の部品点数が低減するとともに、消波部材４７Ａ〜４７Ｃを取り付けるための工程を省略でき、製造コストを低減することができる。
【００３２】
消波部材４７Ａ〜４７Ｃは、空気流方向Ｘの上流側に配置されたものほど左右方向の長さが短く形成されている。具体的には、空気流方向Ｘの最も上流側に配置された第１の消波部材４７Ａは、水受け部３５の左端部の狭い範囲（水受け部３５の左右幅の概ね１／４の範囲）に偏って設けられている。空気流方向Ｘの中央に配置された第２の消波部材４７Ｂは、第１の消波部材４７Ａよりも若干左右方向に長く形成されているが、水受け部３５の左端部の狭い範囲（水受け部３５の左右幅の概ね１／３の範囲）に偏って設けられている。そして、空気流方向Ｘの最も下流側に配置された第３の消波部材４７Ｃは、水受け部３５の左右幅の略全体に亘る範囲に設けられている。したがって、水受け部３５の右側では、第３の消波部材４７Ｃのみが設けられているが、左側に向かうほど消波部材４７Ａ〜４７Ｃによる列数が２列、３列と増加している。
【００３３】
図４に示すように、第１〜第３の消波部材４７Ａ〜４７Ｃの断面形状はいずれも矩形状であり、第１〜第３の消波部材４７Ａ〜４７Ｃは、同一の長尺部品の長さだけを適宜変えて作製されている。また、いずれの消波部材４７Ａ〜４７Ｃも水受け部３５の第１の底面４１に対して垂直な姿勢で設けられている。したがって、第１〜第３の消波部材４７Ａ〜４７Ｃは、上部側ほど空気流方向Ｘの上流側に位置するように傾斜し、また、空気流方向Ｘ下流側の消波部材４７Ａ〜４７Ｃほど上端が高位置に配置されている。最も高い第３の消波部材４７Ｃは、ドレンパン３１の外周壁３４と同じかやや低い高さとされている。
【００３４】
以上の構成において、送風ファン１２からの空気流によって水受け部３５に溜まった結露水に波が発生したとしても、消波部材４７に衝突することによって波立ちが抑制される。特に、水受け部３５の左側（反排水部３６側）では、消波部材４７Ａ〜４７Ｃが２列乃至３列で設けられているので、ドレンパン３１が傾いて水受け部３５側の水位が高くなった場合でも、結露水が二度乃至三度、消波部材４７Ａ〜４７Ｃに衝突することで、当該結露水の波立ちを効果的に抑制することができる。また、水受け部３５の右側は、左側よりも結露水が溜まり難く、空気流による波も小さいため、第３の消波部材４７Ｃ単独で十分に波立ちを抑制することができる。
【００３５】
第１，第２の消波部材４７Ａ，４７Ｂは、水受け部３５の左右幅よりも短く、反排水部３６側に偏って配置されているので、第１〜第３の消波部材４７Ａ〜４７Ｃの全てが水受け部３５の左右幅全体に亘って設けられている場合に比べて、当該消波部材４７Ａ〜４７Ｃが空気流の抵抗になり難い。したがって、本体ケーシング１１内の圧力損失を低減させて吹き出し口２３から十分な風量の空気流を吹き出すことができる。
【００３６】
また、消波部材４７Ａ〜４７Ｃは、上部側ほど空気流方向Ｘ上流側に位置するように傾斜しているので、消波部材４７Ａ〜４７Ｃに衝突した波を、矢印ｃ（図４参照）に示されるように、空気流方向Ｘの上流側に好適にはね返すことができ、消波部材４７Ａ〜４７Ｃに対する越波を防止することができる。なお、図４に示される例では、空気流方向Ｘの上流側の側面だけではなく、これと反対側の下流側の側面も傾斜しているが、消波部材４７Ａ〜４７Ｃは、空気流方向Ｘの上流側の側面のみが、上部側ほど空気流方向Ｘ上流側へ傾斜するような断面形状の部材によって作製されていてもよい。
【００３７】
第１〜第３の消波部材４７Ａ〜４７Ｃは、空気流方向Ｘの下流側のものほど上端位置が高くなるように設けられているので、第１の消波部材４７Ａを越えるような波であっても第２の消波部材４７Ｂによって抑えることができ、第２の消波部材４７Ｂを越えるような波であっても第３の消波部材４７Ｃによって抑えることができる。また、第１，第２の消波部材４７Ａ，４７Ｂは外周壁３４よりも低く形成されているので、空気流に対する抵抗が小さく、当該空気流の圧力損失を低減させることができる。
【００３８】
図５は、本発明の第２の実施の形態に係る空気調和装置の消波部材４７Ａ〜４７Ｃを示す概略横断面図である。本実施の形態では、消波部材４７Ａ〜４７Ｃが、水受け部３５の第１の底面４１の傾斜面に垂直ではなく、鉛直方向に立設されている。また、消波部材４７Ａ〜４７Ｃは、いずれも上端の高さが外周壁３４と略同一とされている。
本実施の形態では、第１の実施の形態のように、消波部材４７Ａ〜４７Ｃの空気流方向Ｘの上流側の側面によって波を空気流方向Ｘの上流側にはね返す作用が小さいが、いずれの消波部材４７Ａ〜４７Ｃも上端の高さが外周壁３４の高さと略同一とされているので、各消波部材４７Ａ〜４７Ｃの波立ちの抑制機能が高められている。
【００３９】
図６は、本発明の第３の実施の形態に係る空気調和装置の消波部材４７Ａ〜４７Ｃを示す平面図である。本実施の形態では、１又は複数の消波部材、具体的には、第１，第２の消波部材４７Ａ，４７Ｂが、排水部３６側（図６の右側）において空気流方向Ｘの上流側に位置するように平面視で傾斜して配置されている。このように第１，第２の消波部材４７Ａ，４７Ｂが傾斜していると、第１，第２の消波部材４７Ａ，４７Ｂ間、及び第２，第３の消波部材４７Ｂ，４７Ｃ間の結露水は、第１の底面４１の傾斜により矢印ｄに示されるように排水部３６側且つ第２の底面４２側へ向けて流れ易くなる。したがって、各消波部材４７Ａ〜４７Ｃ間に結露水が滞留するのを防止することができ、特に、結露水の水位が低下した場合に各消波部材４７Ａ〜４７Ｃ間に結露水が残ってしまうのを防止することができる。
【００４０】
なお、本実施の形態において、第３の消波部材４７Ｃについても、第１，第２の消波部材４７Ａ，４７Ｂと同様に傾斜させてもよい。この場合、第３消波部材４７Ｃと外周壁３４との間に結露水が滞留するのを防止することができる。また、第１の消波部材４７Ａ又は第２の消波部材４７Ｂのみを傾斜させることも可能である。
【００４１】
本発明は、上記実施の形態に限定されることなく適宜設計変更可能である。本発明は、天井埋込ダクト型の室内機１０を有する空気調和装置に限らず、天井吊り型、天井埋込カセット型、壁掛け型等の他型式の室内機１０を有する空気調和装置にも適用可能である。
また、本発明は、上下方向に長い室内機や正面視正方形状の室内機に適用することも可能である。但し、前述の実施の形態のように、左右方向に長い形状の室内機１０に本発明を適用するのがより好ましい。左右方向に長い室内機１０の場合、それに使用されるドレンパン３１も左右方向に長くなるので、このドレンパン３１が左右方向に傾いて設置されたときの結露水の水位上昇が大きくなり、波立ちが発生する可能性が高くなるからである。
また、本発明の消波部材４７Ａ〜４７Ｃは、排水手段２９としてのドレンソケットを介して結露水を自然排水するドレンパン３１にも適用することができる。
【００４２】
消波部材は、空気流方向Ｘに２列又は４列以上設けられていてもよい。また、各列の消波部材４７Ａ〜４７Ｃは、左右方向（長手方向）の途中で分断されていてもよい。但し、消波部材４７Ａ〜４７Ｃが長手方向の途中で分断されていると、この分断部分を結露水が通過することによって流速が高まり、波が激しくなる可能性があることから、各列の消波部材４７Ａ〜４７Ｃは、左右方向に連続した形状とされることが好ましい。
【００４３】
第１〜第３の消波部材４７Ａ〜４７Ｃは、空気流方向Ｘの幅寸法が互いに異なっていてもよい。一般に、消波部材４７Ａ〜４７Ｃの空気流方向Ｘの幅寸法が大きいほど、当該消波部材４７Ａ〜４７Ｃを乗り越えた波のエネルギーが消波部材４７Ａ〜４７Ｃの上面で奪われ、波立ちの抑制効果が高まるので、例えば、空気流方向Ｘの上流側ほど消波部材４７Ａ〜４７Ｃの幅寸法を大きくすることによって、波立ちを早い段階で抑制し、最終的にドレンパン３１の空気流方向Ｘ下流側の外周壁３４で結露水が飛散するのを効果的に防止することができる。逆に、空気流方向Ｘの下流側ほど消波部材４７Ａ〜４７Ｃの幅寸法を大きくすることも可能である。
【符号の説明】
【００４４】
１０  室内機
１１  本体ケーシング
１２  送風ファン（送風機）
１３  熱交換器
２９  排水手段
３１  ドレンパン
３５  水受け部
３６  排水部
３８  フロートスイッチ
３９  ドレンポンプ
４１  第１の底面
４２  第２の底面
４７Ａ  消波部材
４７Ｂ  消波部材
４７Ｃ  消波部材
【図１】
2010255983.tif 000003
【図２】
2010255983.tif 000004
【図３】
2010255983.tif 000005
【図４】
2010255983.tif 000006
【図５】
2010255983.tif 000007
【図６】
2010255983.tif 000008